(57)【特許請求の範囲】
【請求項１】
昇降路（１２）の壁と接触する２つの波形基部パッド（２２）を有する三角形基部（２０）であって、各波形基部パッド（２２）が三角形基部（２０）の各斜辺に向かって蛇行して延びる、三角形基部（２０）と、
前記三角形基部（２０）に接続されるとともに前記三角形基部（２０）から延びるウェブ部（２４）と、
エレベータシステム（１０）のエレベータかご（１６）に作用的に接続可能となるように前記ウェブ部（２４）の端部に配置された先端部（２６）と、
を備え、
前記三角形基部（２０）、前記ウェブ部（２４）および前記先端部（２６）は、金属薄板材料からなる１つまたは複数の厚さ（２８）で形成され、前記三角形基部（２０）、前記ウェブ部（２４）および前記先端部（２６）は、ガイドレール（１４）を故障させることなく、ブレーキメカニズム（３６）によりガイドレール（１４）に与えられるブレーキ力が、前記エレベータかご（１６）の速度をうまく減少させるように構成されることを特徴とする前記昇降路（１２）における前記エレベータシステム（１０）用のガイドレール（１４）。
【請求項２】
前記先端部（２６）は、該先端部（２６）に配置された先端キャビティ（３２）を備えることを特徴とする請求項１に記載のガイドレール（１４）。
【請求項３】
前記先端部（２６）は、強化部（３４）を備え、該強化部（３４）は、前記先端部（２６）を強化し、前記先端部（２６）に硬さを提供するように前記先端キャビティ（３２）内に配置されることを特徴とする請求項２に記載のガイドレール（１４）。
【請求項４】
前記強化部（３４）は、実質的にバッフル形状であることを特徴とする請求項３に記載のガイドレール（１４）。
【請求項５】
充填材料が、前記先端部（２６）を強化し、前記先端部（２６）に硬さを提供するように前記先端キャビティ（３２）内に配置されることを特徴とする請求項２に記載のガイドレール（１４）。
【請求項６】
前記ガイドレール（１４）は、金属薄板からなる単一の部品から形成されることを特徴とする請求項１に記載のガイドレール（１４）。
【請求項７】
前記ウェブ部（２４）は、金属薄板からなる３つ以上の厚さを備えることを特徴とする請求項１に記載のガイドレール（１４）。
【請求項８】
前記先端部（２６）は、金属薄板からなる少なくとも３つの厚さを備え、これらの厚さの間に隙間がないことを特徴とする請求項１に記載のガイドレール（１４）。
【請求項９】
前記ガイドレール（１４）は、前記昇降路（１２）において金属薄板ストック（５６）から形成されることを特徴とする請求項１に記載のガイドレール（１４）。
【請求項１０】
前記ブレーキ力は、前記先端部（２６）において前記ガイドレール（１４）に与えられることを特徴とする請求項１に記載のガイドレール（１４）。
【請求項１１】
前記ブレーキ力は、前記ウェブ部（２４）において前記ガイドレール（１４）に与えられることを特徴とする請求項１に記載のガイドレール（１４）。
【請求項１２】
昇降路（１２）に配置されたエレベータかご（１６）と、
前記昇降路（１２）に沿って延び、前記昇降路（１２）に沿って前記エレベータかご（１６）を案内するように前記エレベータかご（１６）に作用的に接続されたガイドレール（１４）と、
を有したエレベータシステム（１０）において、
前記ガイドレール（１４）は、
前記昇降路（１２）の壁と接触する２つの波形基部パッド（２２）を有する三角形基部（２０）であって、各波形基部パッド（２２）が三角形基部（２０）の各斜辺に向かって蛇行して延びる、三角形基部（２０）と、
前記三角形基部（２０）に接続されるとともに前記三角形基部（２０）から延びるウェブ部（２４）と、
前記エレベータかご（１６）に作用的に接続されるように前記ウェブ部（２４）の端部に配置された先端部（２６）と、
を備え、
前記三角形基部（２０）、前記ウェブ部（２４）および前記先端部（２６）は、金属薄板材料からなる１つまたは複数の厚さ（２８）で形成され、
前記ガイドレール（１４）および前記エレベータかご（１６）に作用的に接続されたブレーキメカニズム（３６）をさらに備え、前記ガイドレール（１４）は、前記ガイドレール（１４）を故障させることなく、前記ブレーキメカニズム（３６）により前記ガイドレール（１４）に与えられるブレーキ力が、前記エレベータかご（１６）の速度をうまく減少させるように構成されることを特徴とするエレベータシステム（１０）。
【請求項１３】
前記先端部（２６）は、該先端部（２６）に配置された先端キャビティ（３２）を備えることを特徴とする請求項１２に記載のエレベータシステム（１０）。
【請求項１４】
前記先端部（２６）は、強化部（３４）を備え、該強化部（３４）は、前記先端部（２６）を強化し、前記先端部（２６）に硬さを提供するように前記先端キャビティ（３２）内に配置されることを特徴とする請求項１３に記載のエレベータシステム（１０）。
【請求項１５】
前記強化部（３４）は、実質的にバッフル形状であることを特徴とする請求項１４に記載のエレベータシステム（１０）。
【請求項１６】
前記ガイドレール（１４）は、金属薄板からなる単一の部品から形成されることを特徴とする請求項１２に記載のエレベータシステム（１０）。
【請求項１７】
前記ウェブ部（２４）は、金属薄板からなる３つ以上の厚さを備えることを特徴とする請求項１６に記載のエレベータシステム（１０）。
【請求項１８】
前記先端部（２６）は、金属薄板からなる少なくとも３つの厚さを備え、これらの厚さの間に隙間がないことを特徴とする請求項１７に記載のエレベータシステム（１０）。
【請求項１９】
前記ブレーキメカニズム（３６）は、前記昇降路（１２）に沿って前記エレベータかご（１６）の速度を減少させることが望ましいときに、前記ガイドレール（１４）の前記先端部（２６）に摩擦力を与えることを特徴とする請求項１２に記載のエレベータシステム（１０）。
【請求項２０】
前記ブレーキメカニズム（３６）は、前記昇降路（１２）に沿って前記エレベータかご（１６）の速度を減少させることが望ましいときに、前記ガイドレール（１４）の前記ウェブ部（２４）に摩擦力を与えることを特徴とする請求項１２に記載のエレベータシステム（１０）。
【請求項２１】
前記ガイドレール（１４）は、前記昇降路（１２）の長さ全体に沿って実質的に継ぎ目なしで延びることを特徴とする請求項１２に記載のエレベータシステム（１０）。
【請求項２２】
前記ガイドレール（１４）は、前記昇降路（１２）において金属薄板ストック（５６）から形成されることを特徴とする請求項１２に記載のエレベータシステム（１０）。
【発明の詳細な説明】
【技術分野】
【０００１】
本発明は、一般に、エレベータシステムに関し、特に、エレベータかご用のガイドレールに関する。
【背景技術】
【０００２】
エレベータシステムは、一般に、数個の吊り下げロープによって昇降路内に吊り下げられたエレベータかごを備えている。昇降路内でエレベータかごを案内するために、数個のガイドレールが、昇降路内に配置されており、例えば、昇降路の頂部から底部へと配置されている。エレベータかごは、該エレベータかごが昇降路を通して移動するときに、ガイドレールによって画定された経路にエレベータかごが追従するように、１つまたは複数のガイドシューによってガイドレールに接続される。さらに、あるエレベータシステムにおいては、エレベータかごに接続されたブレーキメカニズムが、昇降路内においてエレベータかごを減速および／または停止させるようにガイドレールに作用する。
【０００３】
一般のガイドレールは、堅固な鋼製Ｔ型レールである。このレール構成が一般に用いられるのは、ガイドレールが、エレベータの通常運転中の座屈および撓みに抵抗するとともに緊急ブレーキ時にかかる負荷に耐えることができるためである。しかし、一般のレールは重くて厚いものであり、各レールは、一般に、直線的な脚部ごとに８ポンド以上の重量があり、２０個の脚部セクションとして一般に設置される。レールの重量のために、設置するには重い設備が必要であり、さらに、エレベータの昇降路の限られた空間に脚部セクションを設置するのには制約があるために、設置は困難である。本技術は、エレベータシステムの運転負荷およびブレーキ負荷に耐えることができるより軽量かつ設置が容易なガイドレールを得るであろう。
【発明の概要】
【課題を解決するための手段】
【０００４】
本発明の１つの特徴では、エレベータシステムのガイドレールが、エレベータシステムの昇降路に接続可能な基部と、該基部に接続されるとともに基部から延びるウェブ部とを備えている。先端部が、エレベータシステムのエレベータかごに作用的に接続可能となるようにウェブ部の端部に配置される。基部、ウェブ部および先端部は、金属薄板材料からなる１つまたは複数の厚さで形成される。ガイドレールは、該ガイドレールを故障させることなく、ブレーキメカニズムによりガイドレールに与えられるブレーキ力が、エレベータかごの速度をうまく減少させるように構成される。
【０００５】
本発明の他の特徴では、エレベータシステムが、昇降路に配置されたエレベータかごと、昇降路に沿って延び、昇降路に沿ってエレベータかごを案内するようにエレベータかごに作用的に接続されたガイドレールとを備えている。ガイドレールは、昇降路に接続可能な基部と、該基部に接続されるとともに基部から延びるウェブ部と、エレベータかごに作用的に接続されるようにウェブ部の端部に配置された先端部とを備えている。基部、ウェブ部および先端部は、金属薄板材料からなる１つまたは複数の厚さで形成される。エレベータシステムは、ガイドレールおよびエレベータかごに作用的に接続されたブレーキメカニズムを備えている。ガイドレールは、該ガイドレールを故障させることなく、ブレーキメカニズムによりガイドレールに与えられるブレーキ力が、エレベータかごの速度をうまく減少させるように構成される。
【図面の簡単な説明】
【０００６】
【図１】エレベータシステムの実施例の概略図である。
【図２】エレベータシステムのガイドレールの実施例の断面図である。
【図３】エレベータシステムのガイドレールの先端部の断面図である。
【図４】エレベータシステムのガイドレールの先端部の他の実施例を示した断面図である。
【図５】エレベータシステムのガイドレールの他の実施例の断面図である。
【図６】エレベータシステムのガイドレールの別の実施例の断面図である。
【図７】エレベータシステムのガイドレールの別の実施例の断面図である。
【図８】エレベータシステムのガイドレールの別の実施例の断面図である。
【図９】エレベータシステムのガイドレールの別の実施例の断面図である。
【図１０】エレベータシステムのガイドレールの別の実施例の断面図である。
【図１１】エレベータシステムの安全ブレーキメカニズムの実施例の断面図である。
【図１２】エレベータシステムのガイドレールを形成する方法を示した概略図である。
【発明を実施するための形態】
【０００７】
図１には、エレベータシステム１０の実施例が示されている。エレベータシステム１０は、昇降路１２内に配置されており、昇降路１２に固定された１つまたは複数のガイドレール１４を備えている。ガイドレール１４は、昇降路１２を通してエレベータかご１６の移動を案内するようにエレベータかご１６に接続されている。図１および図２に示したように、ある実施例においては、エレベータかご１６は、ガイドレール１４と整合する少なくとも１つのガイドシュー１８を備えている。
【０００８】
図２には、ガイドレール１４の実施例が示されている。断面が、金属薄板で形成されており、この金属薄板は、曲げ、ロール成形、溶接および／または他の処理によって最終的な形状へと形成される。図２のガイドレール１４が、金属薄板の単一の部品から形成される。しかし、他の実施例においては、ガイドレール１４は、該ガイドレール１４へと形成される金属薄板の２つ以上の部品から形成され得る。ガイドレール１４は、２つの基部パッド２２を有した基部２０を備えており、該基部パッド２２は、昇降路１２の壁にかかるように構成されている。ウェブ２４が、エレベータかご１６へと向かって基部２０から昇降路１２へと１つの方向に延びる。基部２０とウェブ２４との間の移行領域においてガイドレール１４の剛性を高めるために、材料の内側シート４２と外側シート４４との間に空間４０が存在する。基部２０およびウェブ２４の一方または双方は、レール１４が十分な剛性と、エレベータかご１６を案内するのに十分な硬さとを有するように、金属薄板材料からなる複数の層を備えている。ウェブ２４は、先端部２６へと延びる。図２に示したように、先端部２６は、一般の鋼製ガイドレールと同様な寸法形状を有することができる。先端部２６は、１つまたは複数の材料厚さ２８を備えており、該材料厚さ２８は、先端部の外側部分３０と、先端部２６の内側の先端キャビティ３２とを形成する。図２に示したように、エレベータかご１６は、安全ブレーキ３６を有したガイドシュー１８を備えている。エレベータかご１６を停止させることを要する条件が存在する場合には、安全ブレーキ３６が、ガイドレール１４と係合してエレベータかご１６を停止させるように作動する。より詳細には、エレベータかご１６を停止させるために、安全ブレーキ３６は、先端部２６の外側部分３０にブレーキ力を与える。１つまたは複数の強化部３４が、先端キャビティ３２内に配置されており、さらに、先端部２６を強化して先端部２６が上記ブレーキ力に抵抗するように先端キャビティ３２の少なくとも一部にわたってかかっている。先端部２６に十分な剛性が無い場合には、ブレーキ力が与えられたときに、先端部２６は、構造的に機能しなくなり、ガイドレール１４の交換が必要となる。ある実施例、例えば、図２の実施例においては、強化部３４は、バッフル形状とすることができる。他の実施例、例えば、図３の実施例においては、強化部３４は、先端部２６の側部３８に向かって延びるリブとすることができ、または、図４の実施例においては、強化部３４は、先端キャビティ３２内に配置された材料からなるループを備えることができる。他の実施例においては、充填材料が、注入、または先端部に付加的な剛性を与える他の手段によって先端キャビティ３２内に挿入され得る。図示されるとともに本明細書で説明される例示的な実施例に加えて、強化部３４の種々の構成を有した先端部２６の多くの他の変更が存在し、これらの変更は、本発明と調和する。
【０００９】
図２に示したガイドレール１４の実施例は単に例示するためのものであり、ガイドレール１４の形状の他の実施例が、図５〜図１０に示されている。図５では、ガイドレール１４は、三角形の基部２０を備えており、ウェブ２４が基部２０から先端部２６へと延びる。図２に示した実施例の４つの材料厚さとは対照的に、ガイドレール１４のウェブ２４は、２つの材料厚さ２８を備えている。基部は、昇降路１２の壁と接触する波形基部パッド２２を備えている。図６を参照すると、他の実施例は、折り曲げられた基部パッド２２を有した偏平な基部２０を備えている。また、図６のガイドレール１４のウェブ２４は、２つの材料厚さ２８を備えている。図７の実施例は、三角形の基部２０と、４つの材料厚さを有したウェブ２４とを備えている。先端部２６は、先端キャビティ３２へと延びる強化部３４を備えている。図８には、先端部２６が先端キャビティ３２を備えていない実施例が示されており、ウェブ２４は、２つの材料厚さ２８を備えている。先端部２６において壁厚さ２８を並列に配置すると、隙間が無くなることにより剛性が高まり、したがって、先端部２６に与えられるブレーキ力に抵抗するようになる。図９には、２つの基部パッド２２を有した基部２０を備える実施例が示されており、１つの基部パッド２２が、基部２０の各端部に配置されている。ウェブ２４は、４つの材料厚さを備えており、先端部２６は、その末端部４６へと延びる２つの強化部３４を備えている。
【００１０】
図１０には、金属薄板の単一の部品から形成されるガイドレール１４の他の実施例が示されている。ガイドレール１４は、２つの基部パッド２２を有した偏平な基部２０を備えており、基部パッド２２は、昇降路１２の壁にかかるように構成されている。ウェブ２４は、基部２０からエレベータかご１６に向かって１つの方向に延びる。本実施例においては、ウェブ２４は、三角形のウェブ２４を画定する２つのウェブ脚部５８を備えている。先端部２６は、互いに当節する３つの材料厚さ２８を備えており、該３つの材料厚さ２８は、これらの間に隙間を備えておらず、先端部２６に与えられるブレーキ力に抵抗するのに効果的な堅固な形態とされている。
【００１１】
図１１に示したように、ガイドレール１４のある実施例が、ガイドレール１４のウェブ２４と係合する安全ブレーキ３６を備えるようにして用いられ得る。ブレーキフレーム４８が、先端部２６をガイドシュー１８と係合させるように構成されている。ブレーキ部５０が、先端部２６の内側において、先端部２６の周囲からウェブ２４へと延びる。安全ブレーキ３６は、望ましいときに係合され、ウェブ２４にブレーキ力を与え、エレベータかご１６を停止させる。この安全ブレーキ３６の構成においては、安全ブレーキ３６が先端部２６と係合する一般の安全ブレーキの構成よりも、先端部２６を強化する必要がない。さらに、特定のブレーキフレーム４８の構成においては、建物の地震による移動や同様の状況が生じた場合に、ガイドレール１４からブレーキフレーム４８（およびエレベータかご１６）が離脱することが防止される。この離脱の防止が生じるのは、ブレーキフレーム４８とウェブ２４との隙間が先端部２６の幅よりも小さいためである。
【００１２】
金属薄板でガイドレール１４を形成することにより、十分な剛性および硬さを有した一般の鋼製ガイドレールよりも軽量なガイドレール１４がもたらされる。軽量なガイドレール１４は、昇降路１２におけるガイドレール１４の設置をより容易かつ安全なものとすることに役立つ。さらに、図１２に示したように、ガイドレール１４は、現場、つまり昇降路１２の完全に内側で形成され得る。一実施例においては、成形機５２は、昇降路１２内に配置されており、ローラ５４と、溶接機（図示せず）と、金属薄板からなる偏平な部品でガイドレール１４を形成するのに必要な他の構成要素とを備えている。金属薄板ストック５６が、成形機５２の第１の端部６０へと供給され、そして、ロール成形され、成形され、打ち抜き加工され、および／または溶接されて、望ましい断面を有したガイドレール１４が形成される。仕上げられたガイドレール１４は、成形機５２の第２の端部６２から出て、ある実施例においては、成形機５２によって、昇降路１２内に位置決めされる、および／または昇降路１２に固定され得る。ある実施例においては、成形機５２は、ガイドレール１４を形成するときに昇降路１２に沿って移動するように構成され得る。例えば、成形機５２は、昇降路１２内に位置決めされ、固定されるガイドレール１４の望ましい長さを形成することができる。そして、成形機５２は、内部手段または外部手段によってレール１４の長さに沿って駆動され、ガイドレール１４の第２の長さを形成する。このプロセスは、完全なガイドレール１４が完成するまで継続される。ガイドレール１４を現場で形成することにより、設置プロセスを簡素化し、ある場合には、昇降路１２の長さ全体に延びる単一のガイドレール１４を形成することができる。ガイドレール１４の個別のセグメントの間の継ぎ目がない上記ガイドレール１４により、セグメントの間に生じる不整合が無くなり、エレベータシステム１０の運転を滑らかで静かなものとする。
【００１３】
限定された数の実施例のみと組み合わせて本発明を詳細に説明してきたが、本発明が上記の開示した実施例に限定されないことを理解されたい。むしろ、本明細書において説明されていないが、本発明の真意および範囲と釣り合ったあらゆる数の変更、代替物、代用物や同等の構成を組み込むように本発明を修正することができる。さらに、本発明の種々の実施例を説明してきたが、本発明の特徴は説明した実施例の数個のみを含むことができることを理解されたい。したがって、本発明は、上述の説明によって限定されるものとして解釈すべきものではないが、付記の特許請求の範囲によって限定されるのみである。
【図１】
0005887341.tif 000002
【図２】
0005887341.tif 000003
【図３】
0005887341.tif 000004
【図４】
0005887341.tif 000005
【図５】
0005887341.tif 000006
【図６】
0005887341.tif 000007
【図７】
0005887341.tif 000008
【図８】
0005887341.tif 000009
【図９】
0005887341.tif 000010
【図１０】
0005887341.tif 000011
【図１１】
0005887341.tif 000012
【図１２】
0005887341.tif 000013